(57)【特許請求の範囲】
【請求項１】
帳票イメージを読み取る光電変換素子およびスキャナ部を備えた読取部と、
グラフィック表示が可能な表示部および操作スイッチを備えたオペレーションパネルと、
前記読取部で読み取った帳票イメージのデータを前記光電変換素子若しくは前記スキャナ部の出力波形として再生可能なデータ形式で記憶する記憶手段と、
前記記憶手段に記憶された波形データをもとに前記オペレーションパネルの前記表示部に表示する波形イメージを生成する波形生成手段と、
前記読取部の光学系の保守点検時に、前記オペレーションパネルの前記表示部に、前記読取部の状態をキャラクタ表示し、前記オペレーションパネルに設けた前記操作スイッチの操作により特定の指示が入力された際に、前記オペレーションパネルの前記表示部に、前記キャラクタ表示に代えて前記波形生成手段により生成された波形イメージを表示する表示制御手段と
を具備したことを特徴とする光学的文字読取装置。
【発明の詳細な説明】
【０００１】
【発明の属する技術分野】
本発明は、例えば活字ＯＣＲ、手書きＯＣＲ、イメージＯＣＲ、漢字ＯＣＲ、テキストリーダ等、各種のＯＣＲシステムに適用して好適な光学的文字読取装置に関する。
【０００２】
【従来の技術】
従来のＯＣＲシステムに於ける要部の構成並びに読取部の調整作業を図５を参照して説明する。
【０００３】
図５に於いて、０１はＯＣＲ本体となる光学的文字読取装置、０２は光学的文字読取装置０１を制御下に置くホスト装置、０３は光学的文字読取装置０１の読取部に於ける光学系の調整点検作業に用いられる波形観測のためのオシロスコープである。０１１乃至０１８はそれぞれ光学的文字読取装置０１の構成要素をなすもので、０１１は装置全体の制御を司る制御部、０１２は読取部に設けられた光電変換素子（ＣＣＤ部）、０１３は同じく読取部に設けられたスキャナ部、０１４はスキャナ部０１３の出力イメージから文字の切り出しおよび認識処理を行う認識部、０１５はオペレーションパネル（ＯＰＬ）の表示部を構成するキャラクタＬＣＤ、０１６および０１７は同じくオペレーションパネル（ＯＰＬ）の操作部を構成するリセットスイッチおよびセレクトスイッチ、０１８は制御部０１１の制御の下にキャラクタＬＣＤ０１５を表示駆動制御するＬＣＤ制御部である。
【０００４】
通常の動作時に於いて、上記キャラクタＬＣＤ０１５には、装置の状態、エラーコード等が、例えば「ヨミトリカノウ」、「エラーｘｘｘ」等、文字情報にて表示（キャラクタ表示）される（図３（ａ），（ｃ）参照）。また、出荷前の調整、点検作業、若しくはメンテナンス作業に際して、オペレーションパネル（ＯＰＬ）上のボタン操作でメニュー画面を表示し、当該画面上で調整、保守作業のためのメニュー項目を選択することにより、保守点検作業の項目、内容等が、例えば「センサレベルｘｘｘ」等、文字情報にて表示される（図３（ｄ）参照）。更に、出荷前の調整、点検作業、メンテナンス作業等に於いては、スキャナ部０１３に設けられたチェック用の端子に、オシロスコープ０３をプローブで接続して、このオシロスコープ０３によりＣＣＤ部０１２の出力波形（光電変換出力波形）を観測し、読取部に設けられた光学系の調整、点検等を行っていた。
【０００５】
このように、従来の光学的文字読取装置に於いては、オペレーションパネル（ＯＰＬ）に、キャラクタＬＣＤを設けて、当該キャラクタＬＣＤに、装置の状態、保守点検内容等をキャラクタ表示し、読取部に設けられた光学系の調整時等に於ける光電変換出力波形の観測には、オシロスコープを用いていた。
【０００６】
このため、従来では、読取部に設けられた光学系の調整、若しくは保守点検の際に、その都度、オシロスコープを用意し、スキャナ部にプローブで接続して、波形を観測しなければならず、その調整点検作業に多くの時間と労力を要していた。
【０００７】
【発明が解決しようとする課題】
上述したように従来では、光学的文字読取装置に於いて、読取部に設けられた光学系の調整、若しくは保守点検の際に、その都度、オシロスコープを用意し、スキャナ部にプローブで接続して、波形を観測しなければならないことから、その調整点検作業に多くの時間と労力を要するという問題があった。
【０００８】
本発明は上記実情に鑑みなされたもので、読取部に設けられた光学系の調整並びに保守点検作業をオシロスコープ等の測定機材を必要とせず容易かつ迅速に効率よく実施することのできる光学的文字読取装置を提供することを目的とする。
【０００９】
【課題を解決するための手段】
本発明は、光学的文字読取装置に於いて、オペレーションパネルの表示部に、グラフィック表示が可能な表示部を設け、オペレーションパネル上で、読取部に設けられた光学系の調整、若しくは点検等の作業メニューが選択された際に、上記表示部に、帳票イメージを読み取る読取部の光電変換出力波形をイメージ表示することを特徴とする。
【００１０】
即ち本発明は、帳票イメージを読み取る光電変換素子およびスキャナ部を備えた読取部と、グラフィック表示が可能な表示部および操作スイッチを備えたオペレーションパネルと、前記読取部で読み取った帳票イメージのデータを前記光電変換素子若しくは前記スキャナ部の出力波形として再生可能なデータ形式で記憶する記憶手段と、前記記憶手段に記憶された波形データをもとに前記オペレーションパネルの前記表示部に表示する波形イメージを生成する波形生成手段と、前記読取部の光学系の保守点検時に、前記オペレーションパネルの前記表示部に、前記読取部の状態をキャラクタ表示し、前記オペレーションパネルに設けた前記操作スイッチの操作により特定の指示が入力された際に、前記オペレーションパネルの前記表示部に、前記キャラクタ表示に代えて前記波形生成手段により生成された波形イメージを表示する表示制御手段とを具備した光学的文字読取装置を特徴とする。
【００１１】
上記した光電変換出力波形の表示機能をもつことにより、読取部に設けられた光学系の調整作業並びに保守点検作業を、オシロスコープ等の測定機材を必要とせず、容易かつ迅速に効率よく実施することができる。
【００１２】
【発明の実施の形態】
以下、図面を参照して本発明の実施形態を説明する。
【００１３】
図１は、本発明の実施形態に於ける光学的文字読取装置の構成を示すブロック図である。
【００１４】
図に於いて、１は光学的文字読取装置、２は光学的文字読取装置１を制御下に置くホスト装置である。１１乃至２０はそれぞれ光学的文字読取装置１の構成要素をなすもので、１１は装置全体の制御を司る制御部、１２は読取部に設けられた光電変換素子（ＣＣＤ部）、１３は同じく読取部に設けられたスキャナ部、１４はスキャナ部１３の出力イメージから文字の切り出しおよび認識処理を行う認識部、１５はオペレーションパネル（ＯＰＬ）の表示部を構成するグラフィックＬＣＤ、１６および１７は同じくオペレーションパネル（ＯＰＬ）の操作部を構成するリセットスイッチおよびセレクトスイッチ、１８は制御部１１の制御の下にグラフィックＬＣＤ１５を表示駆動制御するグラフィックＬＣＤ制御部である。１９はＣＣＤ部１２、若しくはスキャナ部１３の出力波形を所定のデータ形式（例えば所定周波数のサンプリングデータ）にて保存するＣＣＤ波形格納部である。２０は制御部１１の制御の下に、ＣＣＤ波形格納部１９に格納された波形データからグラフィックＬＣＤ１５に表示する波形イメージを生成するメンテナンス用表示データ生成部である。尚、図中、ＤＬはデータライン、ＣＬは制御ラインを示す。
【００１５】
図２は、上記図１に示す光学的文字読取装置１の外観構成を示す斜視図であり、１ａは被読取帳票が供給されるホッパ部、１ｂは読取後の帳票が排出されるスタッカ部である。オペレーションパネル（ＯＰＬ）には、表示部を構成するグラフィックＬＣＤ１５と、操作部を構成するリセットスイッチ１６およびセレクトスイッチ１７が設けられている。グラフィックＬＣＤ１５には後述する図３に示すようなキャラクタ表示並びにグラフィック表示による各種の内容が表示される。リセットスイッチ１６、およびセレクトスイッチ１７は、装置の機能設定並びに解除、各種モードの設定並びに解除、装置のエラー解除、保守メニューの表示並びにメニュー選択等に供される。
【００１６】
図３は、上記実施形態に於いて、オペレーションパネル（ＯＰＬ）に設けられたグラフィックＬＣＤ１５に表示される各種の表示内容例を示したもので、（ａ）〜（ｄ）は既存のＯＣＲと同様のキャラクタ表示内容例、（ｅ），（ｆ）は本発明に於いて新たに加えられたグラフィック表示内容例、即ち光電変換出力波形の表示例を示している。
【００１７】
図４は、上記図１に示す光学的文字読取装置１に於ける処理の流れ図であり、ここでは、通常のＯＣＲ機能による文字読取処理の流れを符号１０１で示し、既存のＯＣＲと同様のキャラクタ表示の流れを符号１０２で示し、本発明に係るグラフィック（光電変換出力波形）表示の流れを符号１０３で示している。
【００１８】
ここで、上記図１乃至図４を参照して本発明の実施形態に於ける動作を説明する。
【００１９】
光学的文字読取装置１は、ホスト装置２からの指示に従い、ホッパ部１ａに積まれた帳票の読取処理を行う。
【００２０】
この帳票読取処理に於いては、読取部に設けられたＣＣＤ部１２およびスキャナ部１３により、帳票上を走査した帳票イメージが読み込まれ、認識部１４に転送されて、文字の切り出し並びに認識処理が行われる。この際、ＣＣＤ部１２で読み込んだ帳票イメージのデータはスキャナ部１３で画像処理された後、認識部１４に転送され、認識結果が制御部１１に通知される（図４符号１０１参照）。
【００２１】
更に、上記ＣＣＤ部１２で読み込んだ帳票イメージのデータは、スキャナ部１３を介してＣＣＤ波形格納部１９に転送される。ＣＣＤ波形格納部１９は、スキャナ部１３から転送された帳票イメージのデータをＣＣＤ出力波形（光電変換出力波形）として再生可能なデータ形式（ここではサンプリングデータ形式）で格納する。
【００２２】
制御部１１は、スキャナ部１３および認識部１４の制御、ホスト装置２との通信制御、ＣＣＤ波形格納部１９のリード／ライト制御、オペレーションパネル（ＯＰＬ）の入出力制御等を司る。更に、オペレーションパネル（ＯＰＬ）の入出力制御では、後述する保守プログラムの実行時に於いて、ＣＣＤ波形格納部１９に格納された波形データを読み出し、メンテナンス用表示データ生成部２０に転送して、波形データから表示用の波形イメージを生成し、グラフィックＬＣＤ１５に表示する。
【００２３】
ここで、グラフィックＬＣＤ１５に、ＣＣＤの出力波形（光電変換出力波形）を表示する処理について説明する。
【００２４】
オペレーションパネル（ＯＰＬ）の操作部に受けられたリセットスイッチ１６とセレクトスイッチ１７を数秒間、押し続けることで、制御部１１が保守プログラムを起動する。この保守プログラムの起動で、グラフィックＬＣＤ制御部１８の制御の下に、グラフィックＬＣＤ１５に、保守プログラムのメニューが表示される。
【００２５】
グラフィックＬＣＤ１５に表示された保守プログラムのメニュー上で、リセットスイッチ１６とセレクトスイッチ１７を使用して、ＣＣＤ出力波形の表示メニューを選択する。
【００２６】
このメニュー選択により、グラフィックＬＣＤ１５に、ＣＣＤ出力波形の表示メニューが表示される。
【００２７】
ＣＣＤ出力波形の表示メニュー上で「ＣＣＤ出力波形表示」を選択することにより、制御部１１は、ＣＣＤ波形格納部１９に格納されているＣＣＤ出力波形データを読み出し、メンテナンス用表示データ生成部２０に送出する。メンテナンス用表示データ生成部２０は、ＣＣＤ出力波形イメージをグラフィックＬＣＤ１５に表示するために、上記波形データから波形イメージを生成し、所定の加工処理（等倍、拡大、縮小、合成等）を行なって当該波形イメージデータをグラフィックＬＣＤ制御部１８に送出する。
【００２８】
グラフィックＬＣＤ制御部１８は、メンテナンス用表示データ生成部２０から転送された波形イメージデータを、グラフィックＬＣＤ１５に送出する。グラフィックＬＣＤ１５は、グラフィックＬＣＤ制御部１８から転送された波形イメージデータに従う波形イメージを表示する。この際のグラフィックＬＣＤ１５上に於ける、ＣＣＤ出力波形（光電変換出力波形）の表示例を図３（ｅ），（ｆ）に示し、その処理の流れを図４に符号１０３で示している。
【００２９】
このグラフィックＬＣＤ１５に表示されたＣＣＤ出力波形を作業者が観察し、読取部の光学系の調整、保守点検等を行う。従って、読取部の光学系の調整、保守点検等の作業に於いて、オシロスコープを用いることなく、オペレーションパネル（ＯＰＬ）上のグラフィックＬＣＤ１５のみのキャラクタ表示、並びに波形イメージ表示により、読取部の光学系の調整作業、並びに保守点検作業を容易かつ迅速に効率よく実行できる。
【００３０】
尚、上記した実施形態では、ＣＣＤ部１２の出力波形を直接、グラフィックＬＣＤ１５に表示して観察する例について述べたが、これに限らず、例えばスキャナ部１３で画像処理したイメージデータについても、その光電変換出力波形をグラフィックＬＣＤ１５に表示することが可能である。また、例えば、グラフィックＬＣＤ制御部１８若しくはメンテナンス用表示データ生成部２０に、上記ＣＣＤ出力波形を数値若しくは記号を用いてグラフィックＬＣＤ１５に表示する機能をもたせ、オペレーションパネル（ＯＰＬ）上で切換操作してグラフィックＬＣＤ１５に選択的に表示することも可能である。
【００３１】
【発明の効果】
以上詳記したように本発明によれば、読取部に設けられた光学系の調整並びに保守点検作業をオシロスコープ等の測定機材を必要とせず容易かつ迅速に効率よく実施することができる。
【図面の簡単な説明】
【図１】本発明の実施形態に於ける光学的文字読取装置の構成を示すブロック図。
【図２】上記実施形態に於ける光学的文字読取装置の外観構成を示す斜視図。
【図３】上記実施形態に於ける表示内容の例を示す図。
【図４】上記実施形態に於ける光学的文字読取装置の処理の流れを示す図。
【図５】従来のＯＣＲの構成並びに読取部の調整治具を示すブロック図。
【符号の説明】
１…光学的文字読取装置
２…ホスト装置
１１…制御部
１２…ＣＣＤ部
１３…スキャナ部
１４…認識部
１５…グラフィックＬＣＤ
１６…リセットスイッチ
１７…セレクトスイッチ
１８…グラフィックＬＣＤ制御部
１９…ＣＣＤ波形格納部
２０…メンテナンス用表示データ生成部
【図１】
0003730579.tif 000002
【図２】
0003730579.tif 000003
【図３】
0003730579.tif 000004
【図４】
0003730579.tif 000005
【図５】
0003730579.tif 000006